(57)【特許請求の範囲】
【請求項１】
コンピュータ装置がＣＰＵ、データ保存メディア、システムメモリ、ＢＩＯＳ、少なくとも一つの装置選択キー、少なくとも一つのマルチメディア読取装置を含み、
データ保存メディアでは第一ＯＳ、第二ＯＳ、少なくとも一つの装置選択キーに対応するアプリケーションプログラムイメージファイルが保存され、そのアプリケーションプログラムイメージファイルはマルチメディア読取装置のアプリケーションプログラムがイメージファイル化されたものであり、
プログラムイメージファイルをロードしてコンピュータ装置の機能選択項目をスピーディにスタートさせる方法において、
前記データ保存メディアはハードディスクで、そのハードディスクは第一分割区及び第二分割区に分けられ、前記第一分割区には第一ＯＳが保存され、前記第二分割区には第二ＯＳ及びアプリケーションプログラムイメージファイルが保存され、
前記データ保存メディアは、更にアプリケーションプログラムイメージファイル検索ファイル及びアプリケーションプログラムの各設定パラメータ値関連ファイルが保存され、
前記アプリケーションプログラムイメージファイル検索ファイルには、各アプリケーションプログラムイメージファイルの始動アドレス及びそのファイルの大きさが保存され、
前記各アプリケーションプログラムの各設定パラメータ値関連ファイルは、ユーザが各アプリケーションプログラムを実行した時にアプリケーションプログラムが設定したパラメータが保存され、
下述のステップを含み、
（ａ）装置選択キーが操作されたことを検出し、
（ｂ）装置選択キーが操作されたことを検出している時、このコンピュータ装置は第二ＯＳをシステムメモリ内へロード及び実行し、
（ｃ）第二ＯＳの実行が完了した後、データ保存メディア内で機能選択キーに対応するアプリケーションプログラムイメージファイルをシステムメモリ内にロードして実行し、
（ｄ）装置選択キーに対応するマルチメディア読取装置を作動させることを特徴とする、
プログラムイメージファイルをロードしてコンピュータ装置の機能選択項目をスピーディにスタートさせる方法。
【請求項２】
請求項１記載のプログラムイメージファイルをロードしてコンピュータ装置の機能選択項目をスピーディにスタートさせる方法において、前記ステップ（ａ）は、その前に第一ＯＳでコンピュータ装置をスタートさせるかどうか判断するというステップを含むことを特徴とするプログラムイメージファイルをロードしてコンピュータ装置の機能選択項目をスピーディにスタートさせる方法。
【請求項３】
請求項１記載のプログラムイメージファイルをロードしてコンピュータ装置の機能選択項目をスピーディにスタートさせる方法において、前記アプリケーションプログラムイメージファイルは、音楽ディスク、デジタル音楽装置、ビデオディスク、テレビ信号レシーバ等マルチメディア読取装置のアプリケーションプログラムによって作られたイメージファイルであることを特徴とするプログラムイメージファイルをロードしてコンピュータ装置の機能選択項目をスピーディにスタートさせる方法。
【発明の詳細な説明】
【技術分野】
【０００１】
本発明は、コンピュータ装置の機能選択のスタート方法で、特にプログラムイメージファイルをロードしてコンピュータ装置の機能選択項目をスピーディにスタートさせる方法に関するものである。
【背景技術】
【０００２】
コンピュータ技術は留まることなく研究され、今日、コンピュータ装置にマルチメディア読取装置を結合し、マルチメディアビデオ放送システムのアプリケーションが構成され、オフィスや家庭、商業地区等多くの場所で応用されている。またコンピュータ装置に情報家電を結合し、家電のコンピュータ化はすでに目前まで来ている。
【０００３】
パーソナルコンピュータ（ＰＣ）システムは、家電システムとハードが設計上異なるため、ＰＣシステムの始動時間は、家電システムのようにスピーディに行うことができない。目下あるマルチメディアビデオ放送システムの中で、その大部分の設計はビデオ放送装置を単純にコンピュータインターフェイスを通して、ＰＣシステムに連接しているに過ぎない。そのため、ユーザがマルチメディア放送機能を実行しようとする場合、ＰＣシステムを通して、そのビデオ放送装置のアプリケーションプログラムを始動し、行わなければならない。つまり、ユーザは先ずＰＣシステムを立ち上げ、ＰＣシステムがＢＩＯＳプログラムをスタートし、ＰＯＳＴ、周辺設備の検出及び駆動、オペレータシステムのスタート、システム状態設定．．．等すべての手順が完成した後、やっとこのマルチメディアビデオ放送機能を実行することができる。ユーザはＰＣの始動及び初動化する過程の間、ずっと待ち続けなければならない。
【発明の開示】
【発明が解決しようとする課題】
【０００４】
解決しようとする問題点は、コンピュータでは基礎であるマルチメディアビデオ放送システムが一般の家電設備のようにスピーディにスタート操作ができない点である。ユーザがＰＣを使用して、一般の家電設備のように各アプリケーションプログラム間でスピーディなスタートが行えれば、ＰＣの付加価値が更に高まる。
【０００５】
一般のユーザがＰＣを使用する時、ＰＣのすべての機能を使用するわけではなく、大部分の人はその中の一つの機能を使用するだけであり、例としてＰＣで音楽を聴く、テレビもしくは映画を見る等である。しかし、通常コンピュータをスタートさせた後、システムがすべての関連ソフトハードをロードするため、たった一つの機能を使用するために、システムがコンピュータすべてのハードを初動させるのを待たなければならない。
【０００６】
本発明の目的は、マルチメディア放送システムの放送スタート方法を提供することで、本発明により、ユーザが実行したいアプリケーションプログラムがアプリケーションプログラムイメージファイルを採取する方式により予め実行される。これによってユーザが選択機能を実行すると、アプリケーションプログラムイメージファイルが直接スタートすることができ、システム装置のスタート時に行う各項のシステムテスト、検査、初動作業を省略する。
【０００７】
本発明の別の目的は、コンピュータ装置内ビデオファイル快速始動のためのプログラムロード選択機能の方法を提供することで、そのコンピュータ装置のアプリケーションプログラムは、イメージファイルの型によってハードディスク内の選定メモリアドレスに保存される。ユーザが指定した機能の選択項目を操作実行すると、即座にアプリケーションプログラムイメージファイルを採取して実行する。
【０００８】
本発明の別の目的は、コンピュータ装置内ビデオファイル快速始動のためのプログラムロード選択機能の方法を提供することで、このコンピュータ装置のハードディスクに内には、各アプリケーションプログラムイメージファイルの他に、アプリケーションプログラムイメージファイル検索ファイル、及び各アプリケーションプログラムの各設定パラメータ値の関連ファイルを補助し、アプリケーションプログラムイメージファイルの実行スピードを高める。
【課題を解決するための手段】
【０００９】
本発明は、コンピュータ装置のデータ保存メディア内に予め少なくとも一個のアプリケーションプログラムイメージファイルを保存する。ユーザが装置選択キーを操作すると、コンピュータ装置がＯＳのベーシックシステム始動を完了した後、データ保存メディア内から機能選択キーに対応するアプリケーションプログラムイメージファイルをシステムメモリ内にロードして実行し、装置選択キーに対応するマルチメディア読取装置を作動させる。
【００１０】
実施例では、データ保存メディア内に於いて数個のアプリケーションプログラムイメージファイルを保存する他に、アプリケーションプログラムイメージファイル検索ファイルも保存しており、そこには各アプリケーションプログラムイメージファイルの始動アドレス及びそのイメージファイルの大きさが保存される。更にこのデータ保存メディアに於いて、少なくとも一個の設定パラメータ値関連ファイルを打ち立て、各設定パラメータ値の関連ファイルはアプリケーションプログラムイメージファイルの一つに対応し、ユーザがこのアプリケーションプログラムを実行する時の設定したパラメータを設定パラメータ関連ファイル内に保存して読み取ることを最も主要な特徴とする。
【００１１】
請求項１の発明は、コンピュータ装置がＣＰＵ、データ保存メディア、システムメモリ、ＢＩＯＳ、少なくとも一つの装置選択キー、少なくとも一つのマルチメディア読取装置を含み、データ保存メディアでは第一ＯＳ、第二ＯＳ、少なくとも一つの装置選択キーに対応するアプリケーションプログラムイメージファイルが保存され、そのアプリケーションプログラムイメージファイルはマルチメディア読取装置のアプリケーションプログラムがイメージファイル化されたものであり、プログラムイメージファイルをロードしてコンピュータ装置の機能選択項目をスピーディにスタートさせる方法において、前記データ保存メディアはハードディスクで、そのハードディスクは第一分割区及び第二分割区に分けられ、前記第一分割区には第一ＯＳが保存され、前記第二分割区には第二ＯＳ及びアプリケーションプログラムイメージファイルが保存され、前記データ保存メディアは、更にアプリケーションプログラムイメージファイル検索ファイル及びアプリケーションプログラムの各設定パラメータ値関連ファイルが保存され、前記アプリケーションプログラムイメージファイル検索ファイルには、各アプリケーションプログラムイメージファイルの始動アドレス及びそのファイルの大きさが保存され、前記各アプリケーションプログラムの各設定パラメータ値関連ファイルは、ユーザが各アプリケーションプログラムを実行した時にアプリケーションプログラムが設定したパラメータが保存され、下述のステップを含み、（ａ）装置選択キーが操作されたことを検出し、（ｂ）装置選択キーが操作されたことを検出している時、このコンピュータ装置は第二ＯＳをシステムメモリ内へロード及び実行し、（ｃ）第二ＯＳの実行が完了した後、データ保存メディア内で機能選択キーに対応するアプリケーションプログラムイメージファイルをシステムメモリ内にロードして実行し、（ｄ）装置選択キーに対応するマルチメディア読取装置を作動させることを特徴とする、プログラムイメージファイルをロードしてコンピュータ装置の機能選択項目をスピーディにスタートさせる方法としている。
請求項２の発明は、請求項１記載のプログラムイメージファイルをロードしてコンピュータ装置の機能選択項目をスピーディにスタートさせる方法において、前記ステップ（ａ）は、その前に第一ＯＳでコンピュータ装置をスタートさせるかどうか判断するというステップを含むことを特徴とするプログラムイメージファイルをロードしてコンピュータ装置の機能選択項目をスピーディにスタートさせる方法としている。
請求項３の発明は、請求項１記載のプログラムイメージファイルをロードしてコンピュータ装置の機能選択項目をスピーディにスタートさせる方法において、前記アプリケーションプログラムイメージファイルは、音楽ディスク、デジタル音楽装置、ビデオディスク、テレビ信号レシーバ等マルチメディア読取装置のアプリケーションプログラムによって作られたイメージファイルであることを特徴とするプログラムイメージファイルをロードしてコンピュータ装置の機能選択項目をスピーディにスタートさせる方法としている。
【発明の効果】
【００１２】
本発明のプログラムイメージファイルをロードしてコンピュータ装置の機能選択項目をスピーディにスタートさせる方法は、コンピュータ装置がユーザの実行したい特定の機能を選択した時、コンピュータがシステムスタート時の各項目システムテスト、検査、初動化の作業を省略でき、コンピュータ装置のハードディスク内で、予め選択してあるアプリケーションプログラムイメージファイルを直接採取して実行するため、アプリケーションプログラムの実行速度が向上するという利点がある。実際に応用する時、音楽ディスク、デジタル音楽装置、ビデオディスク、テレビ信号レシーバ等のマルチメディア読取装置のアプリケーションプログラムを予めイメージファイルの型に作っておき、ハードディスク内で保存しておくため、マルチメディア機能の放送を実行するスピードが高まる。本発明では各アプリケーションプログラムの各設定パラメータ値関連ファイルも保存することにより、ユーザが各アプリケーションプログラムを実行する時、アプリケーションプログラムがパラメータ設定機能を提供する場合、設定のパラメータを設定パラメータ値関連ファイル内に保存できるため、更に便利さが増す。
【発明を実施するための最良の形態】
【００１３】
図１は、プログラムイメージファイルをロードしてコンピュータ装置の機能選択項目をスピーディにスタートさせる方法の第一実施例のダイアグラムである。本発明のコンピュータ装置１００は、ＣＰＵ１１、第一バスブリッジ１２、第二バスブリッジ１３を含み、そのうちＣＰＵ１１はシステムバスを経由して第一バスブリッジ１２に連接し、第一バスブリッジ１２はシステムメモリ１４に連接してディスプレイインターフェイス１５０を経由してディスプレイ１５に連接する。
【００１４】
第二バスブリッジ１３は、ＢＩＯＳメモリ６に連接する。このＢＩＯＳメモリ６内には、コンピュータ装置の始動時に必要な基本出入力システムに必要なＢＩＯＳプログラム１６１及びＰＯＳＴプログラム１６２（Power On Self Test）が保存されている。
【００１５】
第二バスブリッジ１３は、バスを経由してハードインターフェイス１７０に連接し、続いてハードインターフェイス１７０からハードディスク１７へ連接する。このハードディスク１７は、本発明のデータ保存媒体とする。ハードディスク１７内は、第一分割区１７１及び第二分割区１７２に分けられ、そのうち第一分割区１７１内には第一ＯＳ１７１ａが設置され、その第一ＯＳ１７１ｂは、例としてWindows（登録商標）のウインドウＯＳ及びその他で、第一ＯＳ１７１ａ環境下で操作を行える各項目装置の駆動プログラム１７１ｂ及びマルチメディアアプリケーションプログラム１７１ｃとする。
【００１６】
第二分割区１７２内には、第二ＯＳ１７２ａが設置され、その第二ＯＳ１７２ａは、例として現在のLinux ＯＳ(Linux Operating System)とするが、その他別種のＯＳ、例としてＴｉｎｙベーシックＯＳ(Tiny Windows（登録商標）-based Operating System)、もしくは内嵌式ＯＳ(Embedded Operating System)でもよい。この第二分割区１７２内にはアプリケーションプログラムイメージファイル群１８が保存される。
【００１７】
図２に示すとおり、アプリケーションプログラムイメージファイル群１８には複数個のアプリケーションプログラムイメージファイルＡＰ１、ＡＰ２、ＡＰ３、ＡＰ４が含まれ、例として各アプリケーションプログラムイメージファイルＡＰ１、ＡＰ２、ＡＰ３、ＡＰ４は、各々音楽ディスク、ビデオディスク、テレビ信号ディスクレシーバー等のマルチメディア読取装置のアプリケーションプログラムによって作られたイメージファイルである。
【００１８】
各アプリケーションプログラムイメージファイルＡＰ１、ＡＰ２、ＡＰ３、ＡＰ４は、それぞれのイメージファイルを開始するためのアドレスＡ００１、Ａ００２、Ａ００３、Ａ００４を具え、アプリケーションプログラム検索ファイル１８１によって、各アプリケーションプログラムイメージファイルのＡＰ１、ＡＰ２、ＡＰ３、ＡＰ４の開始アドレス及びそのイメージファイルの大きさが記録されている。
【００１９】
各アプリケーションプログラムイメージファイルＡＰ１、ＡＰ２、ＡＰ３、ＡＰ４は、それぞれ必要に応じて、音楽ディスク、デジタル音楽装置、ビデオディスク、テレビ信号レシーバ等のマルチメディア読取アプリケーションプログラムをイメージファイルの形態に作り、予めこのハードディスク１７の第二分割区１７２内に保存する。
【００２０】
更に各アプリケーションプログラムイメージファイルＡＰ１、ＡＰ２、ＡＰ３、ＡＰ４内には、それぞれのアプリケーションプログラムの各設定したパラメータ値の関連ファイルＡＰ１１、ＡＰ２１、ＡＰ３１、ＡＰ４１が付いており、ユーザが各アプリケーションプログラムを実行した時、アプリケーションプログラムがパラメータの設定機能（例として音量の大小、音質設定、チャンネル設定等）を提供すると、その設定したパラメータをパラメータ値関連ファイルＡＰ１１、ＡＰ２１、ＡＰ３１、ＡＰ４１内に保存する。
【００２１】
このコンピュータ装置１００の第二バスブリッジ１３は、バス１３０を経由して装置選択キー検出インターフェイス回路２０に連接し、続いて装置選択キー検出インターフェイス回路２０から装置選択キーグループ２に連接する。この装置選択キーグループ２は、複数個の装置選択キー２１、２２、２３、２４を含み、ユーザの操作によって、ハードディスク１７内のアプリケーションプログラムイメージファイルのＡＰ１、ＡＰ２、ＡＰ３、ＡＰ４でロード、実行し、音楽ディスク、デジタル音楽、ビデオディスクもしくはテレビのマルチメディアデータ読取及び放送機能を始動する。
【００２２】
図３では、各装置選択キー２１、２２、２３、２４を押して操作した時、対応して始動するマルチメディア装置３ａ、３ｂ、３ｃ、３ｄ、及び対応して実行するアプリケーションプログラムＡＰ１、ＡＰ２、ＡＰ３、ＡＰ４を示す。
【００２３】
この装置選択キーは、対応するビデオマルチメディア読取装置面板、もしくはＰＣ上のボタンスイッチ、もしくはリモコン上のボタンに設置してもよく、またはコンピュータ装置のキーボード上の特定キーに設置してもよい。この特定キーはキーボードコントローラーでデコードした後、ＣＰＵで識別する。
【００２４】
コンピュータ装置１００の第二バスブリッジ１３は、バス１３０を経由してマルチメディア装置３に連接する。図４に示すのは、マルチメディア装置３の更に進めた装置の内容指示図で、本発明の実施例中、このマルチメディア読取装置３は、音楽ディスク読取装置３ａ、デジタル音楽読取装置３ｂ、ビデオディスク読取装置３ｃ、テレビ信号レシーバ装置３ｄを含み、各々音楽ディスクインターフェイス回路３０ａ、デジタル音楽インターフェイス回路３０ｂ、ビデオディスクインターフェイス回路３０ｃ、テレビインターフェイス回路３０ｄを経由してバス１３０に連接する。
【００２５】
このコンピュータ装置１００の第二バスブリッジ１３は、バス１３０を経由してサウンドインターフェイス回路４０に連接し、続いてサウンドインターフェイス回路４０からサウンド装置４に連接する。このコンピュータ装置１００の第二バスブリッジ１３もまたバス１３０を経由してテレビ調整器５に連接する。
【００２６】
図５に示すのは、図１実施例の制御フローチャートであり、図１から図４までの本発明の制御フローチャートに説明を行っている。
【００２７】
本発明の設計に於いて、コンピュータ装置１００は、正常なＰＣ操作処理もしくはマルチメディア快速始動及び放送処理において操作する。ユーザはコンピュータ装置１００の電源スイッチを始動させる(ステップ１０１)。コンピュータ装置１００先ず、システムベーシック始動プログラムを始動する。この時、コンピュータ装置１００は、ＢＩＯＳメモリ１６からＢＩＯＳプログラム１６１をロード及び実行し（ステップ１０２）、システム初期化プログラムを実行し（ステップ１０３）、ＰＯＳＴプログラムを実行し（ステップ１０４）、装置駆動プログラムを実行する（ステップ１０５）。コンピュータ装置１００がシステムベーシック始動プログラムを完了すると、コンピュータ装置１００はハードディスク１７内の第一分割区１７１の第一ＯＳ１７１ａをロードして実行し(ステップ１０６)、またコンピュータ装置１００は正常なＰＣ操作処理に進む(ステップ１０７)。その後、ユーザは一般のコンピュータ装置の操作方法でコンピュータを操作する。
【００２８】
ユーザがマルチメディア放送の機能を実行したい時、装置選択キー２の任意の一つの装置選択キー２１，２２、２３，２４を押すだけで、キーに対応した音楽ディスク、デジタル音楽、ビデオディスク、もしくはテレビのマルチメディアデータ読取及び放送機能をスピーディに実行する。コンピュータ装置は、装置選択キーグループ２内の任意のキーが捜査を受けて検出すると(ステップ１０８)、コンピュータ装置１００がハードディスク１７の第二分割区１７２内の第二ＯＳ１７２ａを、始動ＯＳとして選択する(ステップ１０９)。また、第二ＯＳ１７２ａはシステムメモリ１４内でロードされて実行する(ステップ１１０)。
【００２９】
第二ＯＳ１７２ａを実行する時、第二ＯＳ１７２ａのベーシックプログラムを実行するだけでよく、前述の第一ＯＳ始動時に実行するシステム初動プログラム、ＰＯＳＴプログラム等のステップの必要がない。続いて直接ハードディスク１７の第二分割区１７２内のアプリケーションプログラムイメージファイル群１８内から押された装置選択キーのアプリケーションプログラムイメージファイルＡＰ１、ＡＰ２、ＡＰ３、ＡＰ４に対応させてシステムメモリ１４内のランダムアクセスディスクエリア１４１へロードし、実行する（ステップ１１１）。このようにしてコンピュータ装置１００はマルチメディア快速始動及び放送処理へ進む（ステップ１１２）。ユーザはコンピュータ装置プログラムを始動する長い時間を待つことなく、即座にマルチメディア機能を始動することができる。
【００３０】
前述の実施例中、ハードディスク１７は第一分割区１７１及び第二分割区１７２に分けられ、それぞれ第一ＯＳ１７１ａ及び第二ＯＳ１７２ａが設置されていると説明し、且つ各アプリケーションプログラムイメージファイルＡＰ１、ＡＰ２、ＡＰ３、ＡＰ４及びアプリケーションプログラムイメージ検索ファイル１８１をハードディスク１７の第二分割区１７２内に保存する。当然ハードディスク１７を単一分割区にしても実行可能で、且つ各アプリケーションプログラムイメージファイルＡＰ１、ＡＰ２、ＡＰ３、ＡＰ４及びアプリケーションプログラムイメージファイル索引ファイル１８１をハードディスク１７の単一分割区内に保存する。
【００３１】
図６は、本発明第二実施例のシステム機能ブロックダイアグラムである。大部分の構成及び部品はすべて図１に示す実施例と同じであるが、異なるのは、ハードディスク１７が単一だけの分割区である。ハードディスク１７内にはＯＳ１７１ａ、各項目の装置駆動プログラム１７１ｂ、少なくとも一つのマルチメディアアプリケーションプログラム１７１ｃ、アプリケーションプログラムイメージファイル群１８、及びアプリケーションプログラムイメージ検索ファイル１８１が保存される。
【００３２】
図７に示すのは、本発明実施例の制御フローチャートである。このフローチャートは図５に示す実施例のフローチャートに相似しているため、同じステップ及び同じ番号で表示している。ユーザがコンピュータ装置１００の電源スイッチを正常に始動する時 (ステップ１０１)、コンピュータ装置１００が先ずシステムベーシック始動プログラムを始動する。この時、コンピュータ装置１００は、ＢＩＯＳメモリ１６からＢＩＯＳプログラム１６１をロード及び実行し（ステップ１０２）、システム初期化プログラムを実行し（ステップ１０３）、ＰＯＳＴプログラムを実行し（ステップ１０４）、装置駆動プログラムを実行する（ステップ１０５）。コンピュータ装置１００がシステムベーシック始動プログラムを完了すると、コンピュータ装置１００はハードディスク１７内のＯＳ１７１ａをロードして実行し(ステップ１０６ａ)、またコンピュータ装置１００は正常なＰＣ操作処理に進む(ステップ１０７)。その後、ユーザは一般のコンピュータ装置の操作方法でコンピュータを操作する。
【００３３】
ユーザがマルチメディア放送の機能を実行したい時、装置選択キー２の任意の一つの装置選択キー２１，２２、２３，２４を押すだけで、キーに対応した音楽ディスク、デジタル音楽、ビデオディスク、もしくはテレビの放送機能をスピーディに実行する。コンピュータ装置は、装置選択キーグループ２内の任意のキーが操作されたことを検出すると(ステップ１０８)、コンピュータ装置１００がハードディスク１７のＯＳ１７２ａによって、始動ＯＳとして選択し(ステップ１０９ａ)、ＯＳ１７２ａはシステムメモリ１４内でロードされて実行する(ステップ１１０ａ)。
【００３４】
ＯＳ１７１ａを実行する時、正常なＰＣ操作処理の時のシステム初動プログラム、ＰＯＳＴプログラムを省略できる。続いて直接ハードディスク１７のアプリケーションプログラムイメージファイル群１８内から押された装置選択キーのアプリケーションプログラムイメージファイルＡＰ１、ＡＰ２、ＡＰ３、ＡＰ４に対応させてシステムメモリ１４内のランダムアクセスディスクエリア１４１へロードし、実行する（ステップ１１１）。このようにしてコンピュータ装置１００はマルチメディア快速始動及び放送処理へ進む（ステップ１１２）。
【図面の簡単な説明】
【００３５】
【図１】本発明の第一実施例のシステム機能のブロックダイアグラムである。
【図２】図１のアプリケーションプログラムイメージファイル群内に含まれる複数のアプリケーションプログラムイメージファイルを示す図である。
【図３】図１の各装置選択キーがキー操作された時に対応して始動するマルチメディア読取装置及び対応実行するアプリケーションプログラムイメージファイルである。
【図４】図１のマルチメディア読取装置の更に進んだ装置内容を示す図である。
【図５】本発明の図１実施例の制御フローチャートである。
【図６】本発明の第二実施例のシステム機能のブロックダイアグラムである。
【図７】図６の実施例の制御フローチャートである。
【符号の説明】
【００３６】
１００ コンピュータ装置
１１ ＣＰＵ
１２ 第一バスブリッジ
１３ 第二バスブリッジ
１４ システムメモリ
１４１ ランダムアクセスディスクエリア
１５ ディスプレイ
１５０ ディスプレイインターフェイス
１６ ＢＩＯＳメモリ
１６１ ＢＩＯＳプログラム
１６２ ＰＯＳＴプログラム
１７ ハードディスク
１７０ ハードディスクインターフェイス
１７１ 第一分割区
１７１ａ 第一ＯＳ
１７１ｂ 装置駆動プログラム
１７１ｃ マルチメディアアプリケーションプログラム
１７２ 第二分割区
１７２ａ 第二ＯＳ
１８ アプリケーションプログラムイメージファイル群
１８１ アプリケーションプログラムイメージファイル検索ファイル
２ 装置選択キーグループ
２０ 装置選択キー検出インターフェイス回路
２１、２２、２３、２４ 装置選択キー
３ マルチメディア読取装置
３ａ 音楽ディスク読取装置
３ｂ デジタル音楽読取装置
３ｃ ビデオディスク読取装置
３ｄ テレビ信号レシーバ装置
３０ａ 音楽ディスクインターフェイス回路
３０ｂ デジタル音楽インターフェイス回路
３０ｃ ビデオディスクインターフェイス回路
３０ｄ テレビディスクインターフェイス回路
４ サウンド装置
４０ サウンドインターフェイス回路
５ テレビ調整器
【図１】
0004482519.tif 000002
【図２】
0004482519.tif 000003
【図３】
0004482519.tif 000004
【図４】
0004482519.tif 000005
【図５】
0004482519.tif 000006
【図６】
0004482519.tif 000007
【図７】
0004482519.tif 000008